(57)【要約】      （修正有）【課題】使用前の状態がコンパクトであり、また、使用に際しては持ち易く回収物の飛散を防止することが可能な、さらには、回収物と共に廃棄するにあたり安価を実現することが可能な、組立て式チリ取りを提供する。【解決手段】底板部４の左右に左板部５、右板部６を、底板部４の後ろに後板部７を形成する。左板部５及び右板部６には係合凸部２０及び把持片１５を形成し、後板部７には係合凸部２０に係合する係合凹部３２を形成する。使用の際には、折り畳んでいた各部分を立ち上げるとともに係合させて、覆い部５１や把持部５０や回収用開口部５２を形成する。【選択図】図１
0003171866.tif 000002
【実用新案登録請求の範囲】
【請求項１】
前後左右に辺を有する底板部を形成し、
該底板部の左右の辺には、左右位置折り目を介して連続する左板部及び右板部を形成し、
前記底板部の後の辺には、後位置折り目を介して連続する後板部を形成し、
前記左板部及び前記右板部には、前記左右位置折り目の反対側に位置する係合凸部及び把持片を形成し、
前記後板部には、前記後位置折り目の反対側に位置して前記係合凸部に係合する係合凹部を形成し、
使用前においては、前記左板部、前記右板部、及び前記後板部を折り畳んで前記底板部に対し重なり合いの形状を形成し、
使用の際には、前記左板部、前記右板部、及び前記後板部を立ち上げ且つこれらを係合させて、前記底板部の上方及び前記後の辺側を覆う覆い部と、該覆い部の上側に位置し且つ前記把持片の重ね合わせによりなる把持部と、前記底板部の前の辺の位置に開口する回収用開口部とを有する、回収物の回収可能な形状を形成し、
全体としては、紙製のチリ取りとして形成してなる
ことを特徴とする組立て式チリ取り。
【請求項２】
請求項１に記載の組立て式チリ取りにおいて、
前記底板部の前記前の辺には、前位置折り目を介して折り曲げられる戻り防止片を連続形成する
ことを特徴とする組立て式チリ取り。
【請求項３】
請求項１又は２に記載の組立て式チリ取りにおいて、
前記左板部及び前記右板部には、前記回収用開口部を覆う蓋片を開閉自在に連続形成する
ことを特徴とする組立て式チリ取り。
【請求項４】
請求項１、２又は３に記載の組立て式チリ取りにおいて、
前記後板部には、前記左板部及び前記右板部を支えて前記覆い部の形状を維持する支持片を形成する
ことを特徴とする組立て式チリ取り。
【請求項５】
請求項１、２、３又は４に記載の組立て式チリ取りにおいて、
前記底板部に対し前記左板部、前記右板部、及び前記後板部を折り畳む際には、前記回収物を回収する組立て式のヘラを添付する
ことを特徴とする組立て式チリ取り。
【考案の詳細な説明】
【技術分野】
【０００１】
本考案は、チリ取りに関し、詳しくは組立て式で紙製のチリ取りに関する。
【背景技術】
【０００２】
病院、介護施設、保育園、幼稚園、学校、飲食店、交通機関などにおいては、嘔吐物を処理する機会が比較的多い。このため、嘔吐物を簡単且つ衛生的に処理できる商品の需要がある。上記商品は、広く知られているものとして嘔吐物緊急凝固剤（例えばＧＥＬＯＰＯＮやゲロポン（いずれも登録商標名））がある。嘔吐物緊急凝固剤は、嘔吐物にまんべんなく振り掛けてかき混ぜると、嘔吐物をチリ取りで簡単に回収することができるようになっている。
【０００３】
上記嘔吐物緊急凝固剤は、ヘラ、ポリ手袋、ポリ袋、ペーパータオル等と共に略直方体状の箱に詰められている。箱は、嘔吐物緊急凝固剤により凝固した嘔吐物を回収することが可能なチリ取りを兼用する形状に形成されている。チリ取り兼用の箱に嘔吐物を回収した後は、箱ごと廃棄すれば嘔吐物の処理が完了するようになっている。
【０００４】
ところで、上記病院や介護施設、保育園等に備え付けられた一般的なチリ取りを用いて嘔吐物を処理する場合には、処理毎にチリ取りをきれいに洗わなければならないことから、手間がかかってしまう。そこで、本考案者は、嘔吐物等の回収物（回収対象物）と一緒に廃棄できるチリ取りの提供をすることが有用であると考え、上記チリ取り兼用の箱に着目をした。
【０００５】
本考案者は、チリ取り兼用の箱に対し次のような問題点を見いだした。すなわち、チリ取り兼用の箱は、この中に上記嘔吐物緊急凝固剤等を詰めるという機能を持たせていることから、箱単体で見た場合にはコンパクトでないという問題点を見いだした。
【０００６】
尚、コンパクトなチリ取りとしては、下記特許文献１に開示されたものがあるが、コンパクトさを重視した結果、持ち難い形状であるという問題点を有している。また、回収物を覆う部分がない形状であることから、回収物が飛散してしまう虞があり、このため嘔吐物の回収には不向きであるという問題点を有している。
【０００７】
下記特許文献１に開示されたコンパクトなチリ取りは、繰り返し使うものとして提供されている。
【先行技術文献】
【特許文献】
【０００８】
【特許文献１】特開２００８−１１４０１４号公報
【考案の概要】
【考案が解決しようとする課題】
【０００９】
本考案は、上記した事情に鑑みてなされたもので、使用前の状態がコンパクトであり、また、使用に際しては持ち易く回収物の飛散を防止することが可能な、さらには、回収物と共に廃棄するにあたり安価を実現することが可能な、組立て式チリ取りを提供することを課題とする。
【課題を解決するための手段】
【００１０】
上記課題を解決するためになされた請求項１記載の本考案の組立て式チリ取りは、前後左右に辺を有する底板部を形成し、該底板部の左右の辺には、左右位置折り目を介して連続する左板部及び右板部を形成し、前記底板部の後の辺には、後位置折り目を介して連続する後板部を形成し、前記左板部及び前記右板部には、前記左右位置折り目の反対側に位置する係合凸部及び把持片を形成し、前記後板部には、前記後位置折り目の反対側に位置して前記係合凸部に係合する係合凹部を形成し、使用前においては、前記左板部、前記右板部、及び前記後板部を折り畳んで前記底板部に対し重なり合いの形状を形成し、使用の際には、前記左板部、前記右板部、及び前記後板部を立ち上げ且つこれらを係合させて、前記底板部の上方及び前記後の辺側を覆う覆い部と、該覆い部の上側に位置し且つ前記把持片の重ね合わせによりなる把持部と、前記底板部の前の辺の位置に開口する回収用開口部とを有する、回収物の回収可能な形状を形成し、全体としては、紙製のチリ取りとして形成してなることを特徴とする。
【００１１】
このような特徴を有する本考案によれば、底板部に対し左板部、右板部、及び後板部が折り畳まれると、重なり合いの形状が形成される。使用前においては、重なり合いの形状に形成しておくことでコンパクトなチリ取りになる。
【００１２】
一方、使用に際しては、重なり合いの形状から左板部、右板部、及び後板部を立ち上げるとともに、これらを所定位置で係合させると、回収物の回収可能な形状が形成される。すなわち、底板部の上方及び底板部の後の辺側にこれらを覆う覆い部が形成されるとともに、把持部や回収用開口部が形成されて、回収物の回収可能な形状が形成される。つまりは、チリ取りとして機能する形状が形成される。
【００１３】
覆い部は、回収物の飛散を防止する部分として形成される。把持部は、覆い部の上側に形成され、回収物の重力を受けるにあたっての有効な位置に配置される。回収用開口部は、回収物の回収入り口部分として形成される。
【００１４】
本考案に係るチリ取りは、回収物と共に廃棄される。また、本考案に係るチリ取りは、繰り返しの使用をする必要がないものとして全体が紙にて形成される。本考案に係るチリ取りは安価である。
【００１５】
請求項２記載の本考案の組立て式チリ取りは、請求項１に記載の組立て式チリ取りに係り、前記底板部の前記前の辺には、前位置折り目を介して折り曲げられる戻り防止片を連続形成することを特徴とする。
【００１６】
このような特徴を有する本考案によれば、チリ取り内から回収物が外へ出ようとしても、戻り防止片にて外へ出てしまうことが防止される。
【００１７】
請求項３記載の本考案の組立て式チリ取りは、請求項１又は２に記載の組立て式チリ取りに係り、前記左板部及び前記右板部には、前記回収用開口部を覆う蓋片を開閉自在に連続形成することを特徴とする。
【００１８】
このような特徴を有する本考案によれば、チリ取り内から回収物が外へ出ようとしても、回収用開口部が蓋片にて覆われることから、外へ出てしまうことが防止される。
【００１９】
請求項４記載の本考案の組立て式チリ取りは、請求項１、２又は３に記載の組立て式チリ取りに係り、前記後板部には、前記左板部及び前記右板部を支えて前記覆い部の形状を維持する支持片を形成することを特徴とする。
【００２０】
このような特徴を有する本考案によれば、使用に際して重なり合いの形状から左板部、右板部、及び後板部を立ち上げるとともに、これらを所定位置で係合させると、回収物の回収可能な形状が形成される。この時、左板部及び右板部は後板部の支持片にて支えられることから、覆い部の形状は維持される。これにより、回収物の回収可能な形状も維持される。
【００２１】
請求項５記載の本考案の組立て式チリ取りは、請求項１、２、３又は４に記載の組立て式チリ取りに係り、前記底板部に対し前記左板部、前記右板部、及び前記後板部を折り畳む際には、前記回収物を回収する組立て式のヘラを添付することを特徴とする。
【００２２】
このような特徴を有する本考案によれば、回収物を回収する組立て式のヘラがチリ取りに添付される。
【考案の効果】
【００２３】
請求項１に記載された本考案によれば、使用前の状態がコンパクトであり、また、使用に際しては持ち易く回収物の飛散を防止することが可能な、さらには、回収物と共に廃棄するにあたり安価を実現することが可能な、組立て式チリ取りを提供することができるという効果を奏する。
【００２４】
請求項２に記載された本考案によれば、請求項１の効果の他に、次のような効果も奏する。すなわち、回収物がチリ取りの外へ出てしまうのを防止することができるという効果を奏する。
【００２５】
請求項３に記載された本考案によれば、請求項１又は２の効果の他に、次のような効果も奏する。すなわち、回収物がチリ取りの外へ出てしまうのを防止することができるという効果を奏する。
【００２６】
請求項４に記載された本考案によれば、請求項１、２又は３の効果の他に、次のような効果も奏する。すなわち、回収物の回収可能な形状を維持することができるという効果も奏する。本考案によれば、チリ取りの強度を高めることができるという効果を奏する。
【００２７】
請求項５に記載された本考案によれば、請求項１、２、３又は４の効果の他に、次のような効果も奏する。すなわち、添付されたヘラを組み立ててこれを用いることにより、回収物の回収をすることができるという効果を奏する。この他、本考案によれば、別途ヘラを準備する必要がないという効果も奏する。
【図面の簡単な説明】
【００２８】
【図１】本考案の組立て式チリ取りを示す図であり、（ａ）は使用前の状態を示す平面図、（ｂ）は使用の際の状態を示す斜視図である。
【図２】組立て式チリ取りの展開状態を示す平面図である。
【図３】組立て式チリ取りの使用前の状態を示す平面図である。
【図４】左板部、右板部、及び後板部を立ち上げる最中の状態を示す斜視図である。
【図５】左板部及び右板部を係合させた状態を示す斜視図である。
【図６】組立て式チリ取りの使用の際の状態を示す斜視図（後側から見た斜視図）である。
【図７】組立て式チリ取りの使用の際の状態を示す斜視図（前側から見た斜視図）である。
【図８】回収用開口部を蓋片にて覆った状態を示す斜視図である。
【図９】ヘラの組立てを示す図であり、（ａ）は組立て途中の状態を示す斜視図、（ｂ）は組立て後の状態を示す斜視図である。
【考案を実施するための形態】
【００２９】
本考案では、チリ取りを組立て式で紙製のものにする。使用前においては、各部分を折り畳んでおいてコンパクトな形状に形成する。そして、使用の際には、折り畳んでいた各部分を立ち上げるとともに係合させて、覆い部や把持部や回収用開口部を形成する。本考案に係るチリ取りは、回収物と共に廃棄する。
【実施例１】
【００３０】
以下、図面を参照しながら実施例１を説明する。図１は本考案の組立て式チリ取りを示す図である。また、図２は組立て式チリ取りの展開状態を示す平面図、図３は組立て式チリ取りの使用前の状態を示す平面図、図４は左板部、右板部、及び後板部を立ち上げる最中の状態を示す斜視図、図５は左板部及び右板部を係合させた状態を示す斜視図、図６及び図７は組立て式チリ取りの使用の際の状態を示す斜視図、図８は回収用開口部を蓋片にて覆った状態を示す斜視図、図９はヘラの組立てを示す図である。
【００３１】
以下の説明において、具体的な形状、材料、数値、方向等は、本考案の理解を容易にするための例示であって、用途、目的、仕様等に合わせて適宜変更することができるものとする。
【００３２】
図１において、本考案のチリ取り１（組立て式チリ取り）は、紙製で組立て式のものとなっている。チリ取り１は、使用前において各部分を折り畳んでおくことにより、高さ方向にコンパクトな形状、言い換えれば重なり合いの形状であり厚みのない形状になっている（図１（ａ）参照）。チリ取り１は、上記の如くコンパクトな形状であることから、例えば保育園などにおいて本棚や保育士の机に常備しておいても場所をとらず、すぐに取り出して使用することができるようになっている。
【００３３】
使用に際しては、折り畳んでおいた各部分を立ち上げるとともに所定位置で係合させれば、図１（ｂ）に示すような、回収物の回収が可能な形状に形成されるようになっている。すなわち、使用機能が発揮できる形状に形成されるようになっている。
【００３４】
使用後においては、チリ取り１は紙製であることから、回収物（嘔吐物など）と共に廃棄することができるようになっている。紙に関しては、本考案において段ボール紙が使用されている。尚、安価且つ機能を満足することができる紙であれば特に限定されないものとする。
【００３５】
先ず、図２を参照しながらチリ取り１の各部分について説明をする。
【００３６】
引用符号２は、チリ取り１の展開形状を示している。チリ取り１は、展開形状２の外形のように切り抜かれた後に各部分が折り畳まれるようになっている。チリ取り１は、特に限定するものでないが、各部分の折り畳みの際に、組立て式のヘラ３が一緒に入れ込まれるようになっている（ヘラ３の添付は任意であるが、本考案のようにすることで、使用者側は別途準備する必要がないという利点を有する）
【００３７】
展開形状２は、底板部４、左板部５、右板部６、及び後板部７を有する構成になっている。底板部４は、前後左右に辺を有する長方形の形状に形成されている。このような底板部４の左の辺には、左位置折り目８を介して連続するように左板部５が形成されている（図中の波線は折り目を示すものとする）。また、底板部４の右の辺には、右位置折り目９を介して連続するように右板部６が形成されている。また、底板部４の後の辺には、後位置折り目１０を介して連続するように後板部７が形成されている。
【００３８】
底板部４は、回収物の量などを考慮して大きさが設定されている。底板部４は、この前の辺に戻り防止片１１を有している。戻り防止片１１は、前位置折り目１２を介して連続するように形成されている。戻り防止片１１は、底板部４に対して鋭角に立ち上げた部分、若しくは折り畳まれた状態にしておく部分として形成されている。このような戻り防止片１１は、回収物がチリ取り１の外へ出てしまうのを防止することができるようになっている。
【００３９】
戻り防止片１１は、底板部４の前の辺に沿ってのびる帯状の形状に形成されている。また、戻り防止片１１は、この左右の側辺１３がテーパとなる形状に形成されている。左右の側辺１３のテーパは、左板部５及び右板部６を立ち上げた際に、これに干渉しないような角度に設定されている。
【００４０】
左板部５は、左位置折り目８で折り畳まれると底板部４に重なるように形成されている。また、左板部５は、底板部４からはみ出さない大きさに形成されている。このような左板部５は、チリ取り１の使用に際して後述する覆い部５１の一部となる左板部本体１４を有している。
【００４１】
左板部本体１４には、把持片１５が連続形成されている。また、折り目１６を介して連続するように蓋片１７も形成されている。把持片１５は、チリ取り１の使用に際して後述する把持部５０の一部となる部分として形成されている。把持片１５は、左板部５において左位置折り目８の反対側に位置するように配置形成されている。把持片１５は、チリ取り１の使用に際して底板部４から一番離れる位置に配置形成されている。
【００４２】
把持片１５において、引用符号１８は折り目を示している。また、引用符号１９は折り目１８で折り曲げられるベロ部分を示している。ベロ部分１９が折り曲げられると、把持片１５に指を入れることができるようになっている。
【００４３】
把持片１５の後側には、係合凸部２０が形成されている。この係合凸部２０は、後板部７の後述する係合凹部３２に引っ掛かり係止される部分として形成されている。
【００４４】
蓋片１７は、チリ取り１の使用に際して後述する回収用開口部５２を覆う部分として形成されている。蓋片１７は、回収用開口部５２に対し開閉自在となるように形成されている。このような蓋片１７は、右板部６の蓋片２５に係合して回収用開口部５２を閉じた状態に維持する係合スリット２１を有している。
【００４５】
蓋片１７の連続部分となる折り目１６は、底板部４の左位置折り目８に対して鋭角となる角度で配置形成されている。また、折り目１６は、左位置折り目８と前位置折り目１２との交差位置から左斜め下にのびるような位置に配置形成されている。
【００４６】
右板部６は、右位置折り目９で折り畳まれると底板部４に重なるように形成されている。また、右板部６は、底板部４からはみ出さない大きさに形成されている。このような右板部６は、チリ取り１の使用に際して後述する覆い部５１の一部となる右板部本体２２を有している。
【００４７】
右板部本体２２には、把持片２３が連続形成されている。また、折り目２４を介して連続するように蓋片２５も形成されている。把持片２３は、チリ取り１の使用に際して後述する把持部５０の一部となる部分として形成されている。把持片２３は、右板部６において右位置折り目９の反対側に位置するように配置形成されている。把持片２３は、チリ取り１の使用に際して底板部４から一番離れる位置に配置形成されている。
【００４８】
把持片２３において、引用符号２６は折り目を示している。また、引用符号２７は折り目２６で折り曲げられるベロ部分を示している。ベロ部分２７が折り曲げられると、把持片２３に指を入れることができるようになっている。
【００４９】
把持片２３の後側には、係合凸部２８が形成されている。この係合凸部２８は、後板部７の後述する係合凹部３２に引っ掛かり係止される部分として形成されている。
【００５０】
蓋片２５は、チリ取り１の使用に際して後述する回収用開口部５２を覆う部分として形成されている。蓋片２５は、回収用開口部５２に対し開閉自在となるように形成されている。このような蓋片２５は、左板部５の蓋片１７に係合して回収用開口部５２を閉じた状態に維持する係合スリット２９を有している。
【００５１】
係合スリット２９及び左板部５の係合スリット２１は、互いが差し込まれると係合状態になるように形成されている。
【００５２】
蓋片２５の連続部分となる折り目２４は、底板部４の右位置折り目９に対して鋭角となる角度で配置形成されている。また、折り目２４は、右位置折り目９と前位置折り目１２との交差位置から右斜め下にのびるような位置に配置形成されている。
【００５３】
後板部７は、後位置折り目１０で折り畳まれると底板部４に重なるように形成されている。このような後板部７は、チリ取り１の使用に際して後述する覆い部５１の一部となる後板部本体３０を有している。
【００５４】
後板部本体３０には、折り目３１を介して連続するように係合凹部３２が形成されている。また、折り目３３、３４を介して連続するように支持片３５、３６が形成されている。係合凹部３２は、左板部５の係合凸部２０及び右板部６の係合凸部２８を引っ掛けて係止する部分として形成されている。係合凹部３２は、略舌状の形状部分に細長い穴を貫通させて形成されている。
【００５５】
支持片３５、３６は、チリ取り１の使用に際して左板部５の左板部本体１４及び右板部６の右板部本体２２を支えることができるように形成されている。すなわち、後述する覆い部５１の形状を維持することができるように形成されている。支持片３５、３６は、略三角形の舌片となる形状（三角カドとなる形状）に形成されている。
【００５６】
支持片３５、３６の連続部分となる折り目３３、３４は、底板部４の後位置折り目１０に対して鋭角となる角度で配置形成されている。折り目３３は、左位置折り目８と後位置折り目１０との交差位置から右斜め下にのびるような配置に、また、折り目３４は、右位置折り目９と後位置折り目１０との交差位置から左斜め下にのびるような配置に形成されている。
【００５７】
ヘラ３は、底板部３７、左板部３８、右板部３９、及び後板部４０、４１を有する構成になっている。底板部３７は、台形形状に形成されている。このような底板部３７の左の辺には、左位置折り目４２を介して連続するように左板部３８が形成されている。また、底板部３７の右の辺には、右位置折り目４３を介して連続するように右板部３９が形成されている。左板部３８には、折り目４４を介して連続するように後板部４０が形成されている。また、右板部３９には、折り目４５を介して連続するように後板部４１が形成されている。
【００５８】
後板部４０、４１は、使用に際して重なり合うようになっている。これら後板部４０、４１には、係合凸部４６と、この係合凸部４６が差し込まれて後板部４０、４１の重なり合い状態を維持することができる係合凹部４７とが形成されている。
【００５９】
次に、図３ないし図８を参照しながらチリ取り１の使用前の状態、及び使用に際しての組立て状態について説明をする。尚、図９を参照しながらヘラ３の組立てについても説明をするものとする。
【００６０】
図３において、チリ取り１の使用前の状態では、左板部５、右板部６、及び後板部７を折り畳んで底板部４に対し重なり合いの形状、且つ厚みのない形状に形成することを行う。尚、引用符号４８で示す表面に商標名や例えば嘔吐物処理マニュアルのいずれか一方を表示しておくことが効果的である。また、引用符号４９で示す面には、上記商標名や嘔吐物処理マニュアルのいずれか他方を表示しておくことが効果的である。さらには、図示しない裏面（上記表面４８の反対側の面）にチリ取り１の組立て説明図や作業時の注意事項、作業時の服装等を表示しておくことが効果的である。
【００６１】
図４において、チリ取り１の使用に際しては、先ず左板部５及び右板部６を立ち上げるとともに（起こすとともに）、後板部７を外側に開くことを行う。
【００６２】
図５において、次に、左板部５及び右板部６を図示の如く重ね合わせて握りハンドルを形成することを行う。具体的には、左板部５の把持片１５及び右板部６の把持片２３を重ね合わせるとともに、折り込み片１９及び折り込み片２７を上下に入れて折り曲げ、これにより握りハンドルとなる把持部５０を形成することを行う。
【００６３】
図５及び図６において、次に三角カドとなる形状の支持片３５、３６を折り曲げるとともに、この支持片３５、３６を左板部５及び右板部６の内側に差し込むようにして後板部７の立ち上げを行う（後板部７を起こすことを行う）。また、後板部７の係合凹部３２を左板部５の係合凸部２０及び右板部６の係合凸部２８に引っ掛けて係止することを行う。
【００６４】
図６及び図７において、左板部５、右板部６、及び後板部７の立ち上げ且つこれらの係合により、底板部４の上方及び底板部４の後の辺側を覆う覆い部５１が形成される。覆い部５１は、略三角屋根形状に形成される。また、底板部４の前の辺の位置には、略三角形に開口する回収用開口部５２が形成される。覆い部５１の上側には、把持部５０が配置形成される。
【００６５】
図７において、次に底板部４の前の辺の位置に配置形成される戻り防止片１１を内側に折り曲げるとともに、回収物の回収をし易くするためとして、左板部５の蓋片１７及び右板部６の蓋片２５を外側へ開くように折り曲げることを行う。
【００６６】
尚、回収物をチリ取り１に回収する前には、図９に示す如くヘラ３を組立てることを行う。ヘラ３は、左板部３８及び右板部３９を立ち上げるとともに、係合凹部４７に係合凸部４６を差し込んで後板部４０、４１を重ね合わせることにより組立てられる。
【００６７】
回収物を嘔吐物とする場合、好ましくは先ず回収物に嘔吐物緊急凝固剤（例えばＧＥＬＯＰＯＮやゲロポン（いずれも登録商標名））をまんべんなく振り掛け、次にヘラ３にてかき混ぜることを行う（この時、除菌剤をスプレーすると効果的である）。そして、回収物をヘラ３ですくい上げ、図７に示す如く開口する回収用開口部５２を介してチリ取り１内へ回収することを行う。尚、ヘラ３は、回収物と一緒にチリ取り１内へ入れ込んでもよいものとする。
【００６８】
図８において、次に左板部５の蓋片１７及び右板部６の蓋片２５を内側へ折り曲げてこれらを係合させることを行う。すなわち、回収用開口部５２を閉じることを行う。回収物は、戻り防止片１１の存在や蓋片１７及び蓋片２５の係合により、外へ出てしまうことはない。
【００６９】
最後に、回収物を回収した後のチリ取り１を廃棄することで一連の作業が完了する。
【００７０】
以上、図１ないし図９を参照しながら説明してきたように、本考案によれば、組立て式であることから、使用前の状態をコンパクトにすることができるという効果を奏する。また、使用に際しては、把持部５０の形成により持ち易くすることができるとともに、覆い部５１の形成により回収物の飛散を防止することができるという効果を奏する。さらには、紙製のチリ取り１であることから、回収物と共に廃棄するにあたり安価を実現することができるという効果を奏する。
【００７１】
本考案は本考案の主旨を変えない範囲で種々変更実施可能なことは勿論である。
【符号の説明】
【００７２】
１…チリ取り（組立て式チリ取り）、  ２…展開形状、  ３…ヘラ、  ４…底板部、  ５…左板部、  ６…右板部、  ７…後板部、  ８…左位置折り目、  ９…右位置折り目、  １０…後位置折り目、  １１…戻り防止片、  １２…前位置折り目、  １３…側辺、  １４…左板部本体、  １５…把持片、  １６…折り目、  １７…蓋片、  １８…折り目、  １９…ベロ部分、  ２０…係合凸部、  ２１…係合スリット、  ２２…右板部本体、  ２３…把持片、  ２４…折り目、  ２５…蓋片、  ２６…折り目、  ２７…ベロ部分、  ２８…係合凸部、  ２９…係合スリット、  ３０…後板部本体、  ３１…折り目、  ３２…係合凹部、  ３３、３４…折り目、  ３５、３６…支持片、  ３７…底板部、  ３８…左板部、  ３９…右板部、  ４０、４１…後板部、  ４２…左位置折り目、  ４３…右位置折り目、  ４４、４５…折り目、  ４６…係合凸部、  ４７…係合凹部、  ４８…表面、  ４９…面、  ５０…把持部、  ５１…覆い部、  ５２…回収用開口部
【図１】
0003171866.tif 000003
【図２】
0003171866.tif 000004
【図３】
0003171866.tif 000005
【図４】
0003171866.tif 000006
【図５】
0003171866.tif 000007
【図６】
0003171866.tif 000008
【図７】
0003171866.tif 000009
【図８】
0003171866.tif 000010
【図９】
0003171866.tif 000011